(57)【特許請求の範囲】
【請求項１】
一側面部に紙葉類を投入させる投入口部を有する装置本体と、
前記投入口部を開閉する開閉手段と、
前記装置本体内に設けられ、紙葉類をセットするセット部と、
このセット部にセットされた紙葉類を取り出す取出手段と、
この取出手段によって取り出された紙葉類を搬送する第１の搬送手段と、
この第１の搬送手段によって搬送される紙葉類が裁断すべきものであるか否かを判別する第１の判別手段と、
前記投入口部から投入される紙葉類を搬送する第２の搬送手段と、
この第２の搬送手段によって搬送される紙葉類が裁断すべきものであるか否かを判別する第２の判別手段と、
前記第１或いは第２の判別手段によって裁断すべきものと判別された紙葉類を導入口部から導入させて裁断する裁断手段と、
前記第２の判別手段によって紙葉類が裁断すべきものでないと判別されたのに基づいて前記裁断手段の導入口部を遮蔽する遮蔽手段と
を具備することを特徴とする紙葉類裁断装置。
【請求項２】
前記第２の判別手段は、前記紙葉類の長さや厚みを検出し、その検出結果に基づいて前記紙葉類を裁断すべきか否かを判別することを特徴とする請求項１記載の紙葉類裁断装置。
【請求項３】
前記取出手段から紙葉類を取り出す第１のモード及び前記投入口部から投入された紙葉類を取り込む第２のモードを選択的に設定するモード設定手段と、
前記開閉手段の開閉をチェックするチェックセンサと、
前記第１のモードが設定された状態において前記チェックセンサにより前記開閉手段の開放が検出されたのに基づいて警報を発する警報手段と
を具備することを特徴とする請求項１記載の紙葉類裁断装置。
【請求項４】
前記投入口部から投入された紙葉類を取り込んで前記第２の搬送手段に送る送り手段を備えることを特徴とする請求項１記載の紙葉類裁断装置。
【請求項５】
前記投入口部の近傍に裁断スイッチを備えることを特徴とする請求項１記載の紙葉類裁断装置。
【発明の詳細な説明】
【技術分野】
【０００１】
本発明の実施形態は、例えば、紙幣などの紙葉類を裁断処理する紙葉類裁断装置に関する。
【背景技術】
【０００２】
この種の紙葉類裁断装置には、装置本体内に紙葉類を取り出す取出部を有し、この取出部から取り出した紙葉類を搬送路に沿って搬送し、この搬送途中で紙葉類が裁断可能なものであるか、再検査すべきものであるかを判断し、裁断可能なものは裁断部に搬送して裁断するものがある。
【０００３】
また、この紙葉類裁断装置にはオフラインでの紙葉類の裁断が可能なものがある。オフラインで裁断する場合には、装置本体の外装カバー（安全カバー）を開け、紙葉類を搬送路の一部に設けられた投入部にセットして裁断スイッチをオンする。これにより、裁断部の裁断刃が回転を開始し、所定の回転速度になったら、搬送部の搬送ベルトを回して紙葉類を裁断部まで搬送して裁断する。
【０００４】
しかしながら、従来においては、装置本体の外装カバー（安全カバー）を開放してオペレーションをするため、ＣＥマークの基準では動力を遮断する必要がある。
【０００５】
また、通常操作時に投入部にアクセスできるため、誤って紙葉類を投入部にセットして裁断してしまうという問題がある。
【０００６】
さらに、オフライン裁断時には計数を行っていないため、裁断枚数の管理は人間系でやらなくてはならないという問題がある。
【先行技術文献】
【特許文献】
【０００７】
【特許文献１】特開平１０−１６２１９５号公報
【発明の概要】
【発明が解決しようとする課題】
【０００８】
実施の形態は、オフラインでの紙葉類の投入時に動力を遮断することなく、また、紙葉類を投入部に誤投入させることなく、さらに、裁断枚数の計数を可能とする紙葉類裁断装置を提供することにある。
【課題を解決するための手段】
【０００９】
上記課題を解決するため、実施の形態は、一側面部に紙葉類を投入させる投入口部を有する装置本体と、前記投入口部を開閉する開閉手段と、前記装置本体内に設けられ、紙葉類をセットするセット部と、このセット部にセットされた紙葉類を取り出す取出手段と、この取出手段によって取り出された紙葉類を搬送する第１の搬送手段と、この第１の搬送手段によって搬送される紙葉類が裁断すべきものであるか否かを判別する第１の判別手段と、前記投入口部から投入される紙葉類を搬送する第２の搬送手段と、この第２の搬送手段によって搬送される紙葉類が裁断すべきものであるか否かを判別する第２の判別手段と、前記第１或いは第２の判別手段によって裁断すべきものと判別された紙葉類を導入口部から導入させて裁断する裁断手段と、前記第２の判別手段によって紙葉類が裁断すべきものでないと判別されたのに基づいて前記裁断手段の導入口部を遮蔽する遮蔽手段とを具備することを特徴とする。
【図面の簡単な説明】
【００１０】
【図１】実施形態である紙葉類裁断装置を示す斜視図。
【図２】同紙葉類裁断装置の内部を概略的に示す構成図。
【図３】同紙葉類投入部を示す斜視図。
【図４】同紙葉類裁断部へ紙葉類を搬送する搬送系を示す構成図。
【図５】同シャッタ及びその駆動部を示す斜視図。
【図６】同シャッタが開放された状態を示す図。
【図７】同シャッタが閉塞された状態を示す図。
【図８】同紙葉類投入部及び取込部を示す斜視図。
【図９】同取込部を構成するピンチローラ及び搬送ベルトを示す図。
【図１０】同取込部を構成するガイド体を示す図。
【図１１】同紙葉類裁断装置の駆動制御系を示すブロック図。
【発明を実施するための形態】
【００１１】
以下、実施の形態について、図面を参照して説明する。
【００１２】
図１は紙葉類裁断装置を示す外観斜視図である。
【００１３】
図中１は装置本体で、この装置本体１の一側面部にはオフラインで紙葉類を裁断する際に紙葉類を投入させる投入口部２が設けられている。この投入口部２の上部側には図３にも示すように後述する裁断部を動作させるための裁断スイッチ３が設けられている。投入口部２及び裁断スイッチ３は開閉手段として開閉扉５によって開閉されるようになっている。開閉扉５には、その開閉をチェックする開閉チェックセンサ５ａが設けられている。
【００１４】
また、装置本体１の前面部側には操作部６が設けられている。この操作部６には通常の裁断モード（第1のモード）或いはオフラインでの裁断モード（第２のモード）を選択的に設定するモード設定ボタン６ａ、操作開始スイッチ６ｂなどが配設されている。
【００１５】
図２は紙葉類裁断装置を示す内部構成図である。
【００１６】
装置本体１内には、処理すべき紙葉類を複数枚積層してなる紙葉類群Ｓを載置するホッパー８、ホッパー８の上方部に設けられ、紙葉類群Ｓの最上位の紙葉類から一枚ずつ取出す取出ロータ（裁断手段）９、この取出ロータ９により取出された紙葉類を搬送する搬送路１０（搬送手段）が配設されている。
【００１７】
また、搬送路１０中には紙葉類を検査し、裁断可能なものと、再検査が必要なものとに分類するための複数のセンサから成るセンサシステム１１（第１の判別手段）が設けられている。
【００１８】
センサシステム１１より下流側の搬送路１０には、図４にも示すようにセンサシステム１１の検査結果に従って紙葉類を所定の方向へ搬送すべく複数の方向に分岐されて第１乃至第３の分岐搬送路１０ａ〜１０ｃが形成されている。搬送路１０の各分岐部にはそれぞれ紙葉類の搬送方向を切り替えるための切替ゲート１３ａ，１３ｂが配設されている。
【００１９】
第１の分岐搬送路１０ａの終端部には排除券集積庫（図２に示す）１５が接続され、第２の分岐搬送路（第２の搬送手段）１０ｂの終端部には裁断手段としての裁断部１６が接続され、第３の分岐搬送路１０ｃの終端部にはリジェクト庫１７が接続されている。
【００２０】
ところで、上記した第２の分岐搬送路１０ｂの紙葉類搬送方向下流側には、図４に示すように紙葉類の搬送方向の長さ、厚さを検出する検出センサ（第２の判別手段）１９が設けられている。
【００２１】
また、第２の分岐搬送路１０ｂの終端部には裁断部１６の紙葉類導入口部１６ａを開閉する開閉手段としてのシャッタ２１が設けられている。シャッタ２１は図５に示すように所定間隔を存して対向配置されるシャッタ片２１ａ，２１ｂを有し、これらシャッタ片２１ａ，２１ｂはロータリーソレノイド２３の駆動軸２３ａに取り付けられている。シャッタ片２１ａ，２１ｂには突起部２１ｃ，２１ｄが突設され、これら突起部２１ｃ，２１ｄはストッパ２４に当接されるようになっている。駆動軸２３ａの基端部にはドグ２５が一体的に取り付けられ、このドグ２５はセンサ２６によって光学的に検出されるようになっている。
【００２２】
ロータリーソレノイド２３は正逆方向に回転され、その正方向の回転によりシャッタ片２１ａ，２１ｂは矢印Ａ方向に回動されてその突起部２１ｃ，２１ｄをストッパ２４に当接する。これにより、シャッタ片２１ａ，２１ｂは図6にも示すように起立して裁断部１６の導入口部１６ａを開放するようになっている。
【００２３】
また、ロータリーソレノイド２３が逆方向に回転されると、シャッタ片２１ａ，２１ｂは矢印Ｂ方向に回動されて図７にも示すように傾斜した状態になって裁断部１６の導入口部１６ａを閉塞するようになっている。
【００２４】
なお、この閉塞時にはロータリーソレノイド２３の駆動シャフト２３ａの基端部のドク２５が検出センサ２６によって検出されてシャッタ片２１ａ，２１ｂが閉じられたことが判別されるようになっている。
【００２５】
図８乃至図１０は、上記した投入口部２及びその内側の送り手段としての紙葉類取込部２８を示すものである。
【００２６】
紙葉類取込部２８は投入口部２から投入される紙葉類を搬送路１０に向かって挟持搬送するピンチローラ３０と搬送ベルト３１さらに、紙葉類の取込搬送をガイドするガイド体３２を有して構成される。
【００２７】
図１１は上記した紙葉類裁断装置の駆動制御系を示すブロック図である。
【００２８】
上記したモード設定ボタン６ａ、操作開始スイッチ６ｂ、開閉チェックセンサ５ａ、裁断スイッチ３、検出スイッチ３、センサシステム１１は、送信回路を介して制御部３０に接続され、制御部３０には制御回路を介して取出ロータ９、搬送経路部１０、アラーム（警報手段）５ｂ、裁断部１６、ロータリーソレノイド２３、切替ゲート１３ａ、１３ｂが接続されている。
【００２９】
次に、上記したように構成された紙葉類処理装置の動作について説明する。
【００３０】
まず、通常の処理モード時には、オペレータは紙葉類をホッパー８にセットし、ついで、モード設定ボタン６ａにより通常の処理モードを設定して操作開始スイッチ６ｂをオンする。これにより、取出ロータ９が回転され、紙葉類群Ｓの最上位の紙葉類から一枚ずつ搬送路１０上に取出される。この取り出された紙葉類は搬送路１０に沿って搬送され、センサシステム１１によって検査される。この検出結果に基づいて制御部３０で裁断可能なものと再検査が必要なものとが判別される。そして、この判別結果に従って切替ゲート１３ａ，１３ｂがそれぞれ所定のタイミングで所定方向に切換えられる。この切替動作により、再検査が必要な紙葉類は第１の分岐路１０ａを介して排除券集積庫１５に送られて集積され、裁断可能なものは第２の分岐路１０ｂを介して裁断部１６に搬送されて裁断される。
【００３１】
なお、排除券集積庫１５に送るべき紙葉類が誤って第２の分岐路１０ｂに送られた場合には、第２の分岐ゲート１３ｂの切替動作によりリジェクト庫１７へ搬送されて集積される。
【００３２】
また、上記した排除券集積部１５及びリジェクト庫１７に集積された紙葉類は、オペレータによって取り出されたのち、ホッパ８にセットされて再度処理される。
【００３３】
次に、オフラインで紙葉類を裁断する場合について説明する。
【００３４】
この場合には、モード設定ボタン６ａによって通常の裁断モードからオフライン用の裁断モードに切り替える。こののち、投入口部２の開閉扉５の鍵を外して開閉扉５を開放する。この開放時には開閉チェックセンサ５ａがオンされる。なお、通常の裁断モードでの処理中において投入口部２の開閉扉５が開放されたことが開閉チェックセンサ５ａによって検出された場合には、処理を即時停止するとともにアラーム５ｂにより警報が発せられる。
【００３５】
開閉扉５を開放したのち、投入口部２に紙葉類を投入する。この投入後、裁断スイッチ３をオンする。このスイッチオンにより、裁断部１６の裁断刃が回転駆動され、裁断刃が所定の回転速度になったところで搬送経路部１０が動作を開始する。
【００３６】
これにより投入口部２に投入された紙葉類は、搬送ベルト３１とピンチローラ３０とによって挟持されて取り込まれ、搬送ガイド体３２に沿って搬送路１０に送り出されて搬送される。
【００３７】
この紙葉類は切替えゲート１３ａによって第２の分岐搬送路１０ｂに案内されて搬送され、その下流側で検出センサ１９によって紙葉類の長さや厚みが検出される。この検出データは制御部３０に送信されて紙葉類が所定の長さ、厚みであるか否かがチェックされる。
【００３８】
紙葉類が所定の長さ、厚みであると判別された場合には、ロータリーソレノイド２３が動作されてシャッタ羽根２１ａ、２１ｂが図５の矢印Ａ方向に回転する。これにより、シャッタ羽根２１ａ、２１ｂの突起部２１ｃ、２１ｄがストッパ２４に当接して停止し、裁断部１６の導入口部１６ａが開放される。紙葉類は開放された導入口部１６ａから裁断部１６内に導入されて裁断されることになる。
【００３９】
また、紙葉類が所定の長さ、厚みでないと判別された場合には、ロータリーソレノイド２３が動作されてシャッタ羽根２１ａ、２１ｂがＢ方向に回転して搬送ローラ３５に突き当たって停止し裁断部１６の導入口部１６ａを閉塞する。これにより、紙葉類はシャッタ２１ａ、２１ｂに当接して裁断部１６への導入が規制されることになる。この閉塞時にはドグ２５がセンサ２６の光軸を遮り、シャッタ２１が動作したことが検出される。
【００４０】
なお、上記した紙葉類の搬送速度が十分に遅い場合は、紙葉類の搬送を止めることで紙葉類の裁断を防ぐことができるが、紙葉類が裁断部１６に運ばれる時間内に搬送を停止できない場合は、上記したように動作の速いシャッタ２１で裁断部１６の導入口部１６ａを閉塞することにより紙葉類の裁断を防ぐことが必要となる。
【００４１】
上記したように、この実施の形態によれば、装置本体１の側面部に紙葉類の投入口部２を設けるため、装置本体１の安全カバーの外側から紙葉類を投入して裁断することができ、動力を遮断することなく、オペレータの安全性を確保することができる。
【００４２】
また、投入口部２には開閉扉５を設けるため、開閉扉５を開放しなければ投入口部２から紙葉類を投入することができず、紙葉類の誤投入を防止することができる。
【００４３】
さらに、投入された紙葉類の長さと厚みを検出センサ１９によって検出するため、異常な紙葉類や誤って複数枚同時に投入された紙葉類を裁断してしまうことがない。
【００４４】
なお、上記した実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００４５】
１…装置本体、２…投入口部、３…裁断スイッチ、５…開閉手段、６ａ…モード設定手段、５ａ…開閉チェックセンサ、５ｂ…アラーム（警報手段）、８…セット部、９…取出ロータ（取出手段）、１０…第１の搬送手段、１１…センサシステム（第１の判別手段）、１０ｂ…分岐搬送路（第２の搬送手段）、１６ａ…導入口部、１６…裁断部（裁断手段）、１９…検出センサ（第２の判別手段）、２１…シャッタ（遮蔽手段）、２８…取込部（送り手段）。
【図１】
0005595964.tif 000002
【図２】
0005595964.tif 000003
【図３】
0005595964.tif 000004
【図４】
0005595964.tif 000005
【図５】
0005595964.tif 000006
【図６】
0005595964.tif 000007
【図７】
0005595964.tif 000008
【図８】
0005595964.tif 000009
【図９】
0005595964.tif 000010
【図１０】
0005595964.tif 000011
【図１１】
0005595964.tif 000012